(57)【特許請求の範囲】
【請求項１】
詰合せとして販売される商品を管理する詰合せ商品管理サーバ装置と、当該詰合せ商品管理サーバ装置とネットワークを介して接続されるユーザ端末装置とを含む詰合せ販売システムにおける前記詰合せ商品管理サーバ装置であって、
前記商品それぞれを識別するための商品識別情報と対応付けて、前記詰合せを作成する作成場所に前記商品それぞれが提供されるまでの提供期間と、前記商品それぞれの提供可能な個数と、前記商品それぞれの使用期間とを含む商品情報を記憶する商品情報記憶手段と、
前記詰合せを構成する商品の商品識別情報と必要数とを含む詰合せ情報を、前記ユーザ端末装置から受信する詰合せ受付手段と、
前記商品情報に基づいて、前記詰合せ受付手段で受信した詰合せ情報に含まれる商品識別情報が示す商品のすべてが前記作成場所に提供されている日であって、当該すべての商品それぞれの使用期間が満了する日から所定期間以上前である日を、発送予定日として算出する発送予定日算出手段と
を備えることを特徴とする詰合せ商品管理サーバ装置。
【請求項２】
前記発送予定日算出手段で算出された前記発送予定日を前記ユーザ端末装置に送信し、当該発送予定日の詰合せに対する注文情報を受信する注文受付手段を、更に備える
ことを特徴とする請求項１に記載の詰合せ商品管理サーバ装置。
【請求項３】
前記商品それぞれの在庫数と、前記商品それぞれの使用期間が満了する日とを記憶する在庫情報記憶手段を、更に備え、
前記発送予定日算出手段は、前記詰合せ受付手段で受信した詰合せ情報に含まれる商品識別情報が示す商品のうち、前記詰合せ情報に含まれる必要数が前記在庫数より多い商品について、前記商品情報に基づいて前記作成場所に提供される日を到着日として算出し、算出した到着日が、前記詰合せを構成するすべての商品それぞれの使用期間が満了する日から所定期間以上前である場合に、当該到着日を前記発送予定日とする
ことを特徴とする請求項１又は２に記載の詰合せ商品管理サーバ装置。
【請求項４】
前記商品情報記憶手段は、前記商品識別情報と対応付けて、前記商品それぞれを提供する提供者に関する提供者情報を更に記憶し、
前記注文受付手段が前記注文情報を受信した場合に、前記発送予定日算出手段が前記到着日を算出した商品の商品識別情報と対応付けて記憶されている提供者情報に基づいて、商品の発注を行う発注手段を、更に備える
ことを特徴とする請求項２に従属する請求項３に記載の詰合せ商品管理サーバ装置。
【請求項５】
詰合せとして販売される商品を管理する詰合せ商品管理サーバ装置と、当該詰合せ商品管理サーバ装置とネットワークを介して接続されるユーザ端末装置とを含む詰合せ販売システムにおける前記詰合せ商品管理サーバ装置で用いられる詰合せ商品管理プログラムであって、
前記商品それぞれを識別するための商品識別情報と対応付けて、前記詰合せを作成する作成場所に前記商品それぞれが提供されるまでの提供期間と、前記商品それぞれの使用期間とを含む商品情報を記憶する商品情報記憶手段と、
前記詰合せを構成する商品の商品識別情報と必要数とを含む詰合せ情報を、前記ユーザ端末装置から受信する詰合せ受付手段と、
前記商品情報に基づいて、前記詰合せ受付手段で受信した詰合せ情報に含まれる商品識別情報が示す商品のすべてが前記作成場所に提供されている日であって、当該すべての商品それぞれの使用期間が満了する日から所定期間以上前である日を、発送予定日として算出する発送予定日算出手段と、
前記発送予定日算出手段で算出された前記発送予定日を前記ユーザ端末装置に送信し、当該発送予定日の詰合せに対する注文情報を受信する注文受付手段として、前記詰合せ商品管理サーバ装置を機能させる
ことを特徴とする詰合せ商品管理プログラム。
【請求項６】
詰合せとして販売される商品を管理するサーバ装置と、当該サーバ装置とネットワークを介して接続されるユーザ端末装置とを含む詰合せ販売システムであって、
前記サーバ装置は、
前記商品それぞれを識別するための商品識別情報と対応付けて、前記詰合せを作成する作成場所に前記商品それぞれが提供されるまでの提供期間と、前記商品それぞれの使用期間とを含む商品情報を記憶する商品情報記憶手段と、
前記詰合せを構成することができる商品の前記商品識別情報を前記ユーザ端末装置に送信し、前記詰合せを構成する商品の商品識別情報と必要数とを含む詰合せ情報を、前記ユーザ端末装置から受信する詰合せ受付手段と、
前記商品情報に基づいて、前記詰合せ受付手段で受信した詰合せ情報に含まれる商品識別情報が示す商品のすべてが前記作成場所に提供されている日であって、当該すべての商品それぞれの使用期間が満了する日から所定期間以上前である日を、発送予定日として算出する発送予定日算出手段と、
前記発送予定日算出手段で算出された前記発送予定日を前記ユーザ端末装置に送信し、当該発送予定日の詰合せに対する注文情報を受信する注文受付手段と
を備え、
前記ユーザ端末装置は、
表示部を有し、
前記サーバ装置から受信した前記商品識別情報が示す商品の一覧を前記表示部に表示する表示手段と、
前記表示部に表示された商品の一覧からユーザにより選択された商品で構成される詰合せの前記詰合せ情報を作成し、前記サーバ装置に送信する詰合せ送信手段と、
前記サーバ装置から受信した前記発送予定日を前記表示部に表示し、当該発送予定日の詰合せに対する注文情報を前記サーバ装置に送信する注文送信手段と
を備えることを特徴とする詰合せ販売システム。
【発明の詳細な説明】
【技術分野】
【０００１】
本発明は、ネットワークを利用して商品の詰合せを販売するネットショッピングの技術に関する。
【背景技術】
【０００２】
近年、インターネット上には様々な店舗が出店されており、ユーザは、各店舗のサイトからユーザ端末装置に送信されたＷｅｂページを通じて、所望する商品を選択して購入することができる。このようにユーザが購入できる商品には、いわゆる詰合せセットも含まれる。
【０００３】
しかし、詰合せは複数の商品が予め組み合わされたものであるので、詰合せに含まれている商品のすべてを、ユーザが所望しない場合もある。例えば、ユーザがギフト用の詰合せを選択する際に、ほとんどの商品は相手の好みであるが、１つの商品だけが相手が嫌いな商品である場合などである。
【０００４】
そこで、ユーザが所望する商品を選択して詰合せを作成できる技術が提案されている（特許文献１参照）。
【０００５】
この技術によれば、商品の形状に基づいて外箱に収容可能か否かを判断しているので、収容可能な範囲であれば商品の変更が可能となり、よりユーザの要望に即した詰合せを作成することができる。
【先行技術文献】
【特許文献】
【０００６】
【特許文献１】特開２０１０−２２４９５３号公報
【発明の概要】
【発明が解決しようとする課題】
【０００７】
ここで、ネットショッピングできる商品には、食品等のように賞味期限や消費期限（使用期限）を有する商品も含まれる。このような商品を含む詰合せを作成する場合には、好きな組み合わせで詰合せを作成するのが難しい場合がある。例えば、ユーザが嫌いな商品を好きな商品に入れ替えたい場合に、好きな商品の在庫がない場合や、在庫があっても消費期限までの期間が短い場合などである。これは、消費期限等のある商品の場合、大量に在庫を保有するのは売れなかった場合のリスクが大きいため、販売者側では在庫を少なくする傾向にあるためである。
【０００８】
そこで、本発明は、使用期限がある商品を含む詰合せであっても、ユーザが所望の詰合せを購入できることを目的とする。
【課題を解決するための手段】
【０００９】
本発明にかかる一態様の詰合せ商品管理サーバ装置は、詰合せとして販売される商品を管理する詰合せ商品管理サーバ装置と、当該詰合せ商品管理サーバ装置とネットワークを介して接続されるユーザ端末装置とを含む詰合せ販売システムにおける前記詰合せ商品管理サーバ装置であって、前記商品それぞれを識別するための商品識別情報と対応付けて、前記詰合せを作成する作成場所に前記商品それぞれが提供されるまでの提供期間と、前記商品それぞれの提供可能な個数と、前記商品それぞれの使用期間とを含む商品情報を記憶する商品情報記憶手段と、前記詰合せを構成する商品の商品識別情報と必要数とを含む詰合せ情報を、前記ユーザ端末装置から受信する詰合せ受付手段と、前記商品情報に基づいて、前記詰合せ受付手段で受信した詰合せ情報に含まれる商品識別情報が示す商品のすべてが前記作成場所に提供されている日であって、当該すべての商品それぞれの使用期間が満了する日から所定期間以上前である日を、発送予定日として算出する発送予定日算出手段とを備えることを特徴とする。
【００１０】
このような構成の詰合せ商品管理サーバ装置によれば、使用期間がある商品の詰合せが、所定期間以上の使用期間が残っている商品によって作成されて発送されることが可能な日（発送予定日）を算出できるので、詰合せを購入しようとするユーザ端末装置のユーザは、所望する商品の詰合せであって、所定期間以上の使用期間が残っている商品により構成された詰合せを購入することが可能となる。つまり、使用期間を有する商品が含まれる詰合せであっても、使用期間が適切な期間以上残っている商品により詰合せが作成されるので、詰合せの購入者は、所望する商品の組み合わせによって所望する詰合せを作成して、購入することができることになる。使用期間とは、所定の日（時）から、その商品の品質を保証する期間をいう。例えば、ある菓子の使用期間は、製造日から１０日間であり、ある薬品の使用期間は、開封日から１４日間であり、ある野菜の使用期間は、収穫時又は出荷時から２０日である等である。使用期間のある商品としては、生鮮食料品、加工食品、缶詰等の食品他、薬品、コンタクト、使い捨てカイロ等の使用期間のある商品をいう。また、発送予定日は、詰合せが発送されることが可能な日であり、実際に発送されるか否かを問わない。例えば、詰合せ作成場所で、詰合せ購入者に受け渡す場合もあるからである。
【００１１】
また、上述の詰合せ商品管理サーバ装置において、前記発送予定日算出手段で算出された前記発送予定日を前記ユーザ端末装置に送信し、当該発送予定日の詰合せに対する注文情報を受信する注文受付手段を、更に備えることが好ましい。
【００１２】
この構成によれば、ユーザは、発送予定日をユーザ端末装置で確認することができるので、発送予定日に納得してから注文を行うことが可能となる。
【００１３】
また、上述の詰合せ商品管理サーバ装置において、前記商品それぞれの在庫数と、前記商品それぞれの使用期間が満了する日とを記憶する在庫情報記憶手段を、更に備え、前記発送予定日算出手段は、前記詰合せ受付手段で受信した詰合せ情報に含まれる商品識別情報が示す商品のうち、前記詰合せ情報に含まれる必要数が前記在庫数より多い商品について、前記商品情報に基づいて前記作成場所に提供される日を到着日として算出し、算出した到着日が、前記詰合せを構成するすべての商品それぞれの使用期間が満了する日から所定期間以上前である場合に、当該到着日を前記発送予定日とすることが好ましい。
【００１４】
この構成によれば、在庫商品の使用期間が満了する日（使用期限）を考慮して、詰合せの発送予定日を算出するので、無駄の発生をできるだけ抑え、かつ、使用期間を考慮した詰合せを作成することが可能となる。
【００１５】
また、上述の詰合せ商品管理サーバ装置において、前記商品情報記憶手段は、前記商品識別情報と対応付けて、前記商品それぞれを提供する提供者に関する提供者情報を更に記憶し、前記注文受付手段が前記注文情報を受信した場合に、前記発送予定日算出手段が前記到着日を算出した商品の商品識別情報と対応付けて記憶されている提供者情報に基づいて、商品の発注を行う発注手段を、更に備えることが好ましい。
【００１６】
この構成によれば、詰合せが注文されると、詰合せに不足する商品の発注が行われるので、詰合せの作成を迅速に行うことが可能となる。
【００１７】
他の一態様の詰合せ商品管理プログラムは、詰合せとして販売される商品を管理する詰合せ商品管理サーバ装置と、当該詰合せ商品管理サーバ装置とネットワークを介して接続されるユーザ端末装置とを含む詰合せ販売システムにおける前記詰合せ商品管理サーバ装置で用いられる詰合せ商品管理プログラムであって、前記商品それぞれを識別するための商品識別情報と対応付けて、前記詰合せを作成する作成場所に前記商品それぞれが提供されるまでの提供期間と、前記商品それぞれの使用期間とを含む商品情報を記憶する商品情報記憶手段と、前記詰合せを構成する商品の商品識別情報と必要数とを含む詰合せ情報を、前記ユーザ端末装置から受信する詰合せ受付手段と、前記商品情報に基づいて、前記詰合せ受付手段で受信した詰合せ情報に含まれる商品識別情報が示す商品のすべてが前記作成場所に提供されている日であって、当該すべての商品それぞれの使用期間が満了する日から所定期間以上前である日を、発送予定日として算出する発送予定日算出手段と、前記発送予定日算出手段で算出された前記発送予定日を前記ユーザ端末装置に送信し、当該発送予定日の詰合せに対する注文情報を受信する注文受付手段として、前記詰合せ商品管理サーバ装置を機能させることを特徴とする。
【００１８】
このような構成の詰合せ商品管理プログラムによれば、詰合せ販売システムを容易に構成することが可能性となる。
【００１９】
他の一態様の詰合せ商品販売システムは、詰合せとして販売される商品を管理するサーバ装置と、当該サーバ装置とネットワークを介して接続されるユーザ端末装置とを含む詰合せ販売システムであって、前記サーバ装置は、前記商品それぞれを識別するための商品識別情報と対応付けて、前記詰合せを作成する作成場所に前記商品それぞれが提供されるまでの提供期間と、前記商品それぞれの使用期間とを含む商品情報を記憶する商品情報記憶手段と、前記詰合せを構成することができる商品の前記商品識別情報を前記ユーザ端末装置に送信し、前記詰合せを構成する商品の商品識別情報と必要数とを含む詰合せ情報を、前記ユーザ端末装置から受信する詰合せ受付手段と、前記商品情報に基づいて、前記詰合せ受付手段で受信した詰合せ情報に含まれる商品識別情報が示す商品のすべてが前記作成場所に提供されている日であって、当該すべての商品それぞれの使用期間が満了する日から所定期間以上前である日を、発送予定日として算出する発送予定日算出手段と、前記発送予定日算出手段で算出された前記発送予定日を前記ユーザ端末装置に送信し、当該発送予定日の詰合せに対する注文情報を受信する注文受付手段とを備え、前記ユーザ端末装置は、表示部を有し、前記サーバ装置から受信した前記商品識別情報が示す商品の一覧を前記表示部に表示する表示手段と、前記表示部に表示された商品の一覧からユーザにより選択された商品で構成される詰合せの前記詰合せ情報を作成し、前記サーバ装置に送信する詰合せ送信手段と、前記サーバ装置から受信した前記発送予定日を前記表示部に表示し、当該発送予定日の詰合せに対する注文情報を前記サーバ装置に送信する注文送信手段とを備えることを特徴とする。
【００２０】
このような構成の詰合せ商品販売システムによれば、使用期間がある商品の詰合せが、所定期間以上の使用期間が残っている商品によって作成されて発送されることが可能な日（発送予定日）を算出し、詰合せを購入しようとするユーザ端末装置に送信するので、詰合せを購入するユーザは、所望する商品の詰合せであって、所定期間以上の使用期間が残っている商品により構成された詰合せを、発送予定日に納得してから購入することが可能となる。
【発明の効果】
【００２１】
本発明にかかる詰合せ商品管理サーバ装置を用いることによって、使用期限等のある商品を含む詰合せであっても、ユーザが所望の詰合せを購入することができる。
【図面の簡単な説明】
【００２２】
【図１】実施形態にかかる詰合せ販売システムの構成例を示す図である。
【図２】実施形態にかかる詰合せ販売システムの機能ブロック図である。
【図３】メンバー情報テーブルの構成及び内容の例を示す図である。
【図４】外箱素材情報テーブルの構成及び内容の例を示す図である。
【図５】内トレイ素材情報テーブルの構成及び内容の例を示す図である。
【図６】菓子素材情報テーブルの構成及び内容の例を示す図である。
【図７】装飾素材情報テーブルの構成及び内容の例を示す図である。
【図８】外箱在庫情報テーブルの構成及び内容の例を示す図である。
【図９】内トレイ在庫情報テーブルの構成及び内容の例を示す図である。
【図１０】菓子在庫情報テーブルの構成及び内容の例を示す図である。
【図１１】装飾在庫情報テーブルの構成及び内容の例を示す図である。
【図１２】メンバー登録処理のフローチャートである。
【図１３】詰合せ注文処理のフローチャートである。
【図１４】素材追加処理のフローチャートである。
【図１５】発送予定日算出処理のフローチャートである。
【図１６】到着予定日算出処理のフローチャートである。
【図１７】注文画面の例を示す図である。
【図１８】注文画面の遷移例を示す図である。
【図１９】内トレイ内での菓子素材の配置例を示す図である。
【図２０】素材リストの構成及び内容の例を示す図である。
【発明を実施するための形態】
【００２３】
＜実施形態＞
実施形態では、菓子の詰合せ販売を例に説明する。
【００２４】
通常、菓子の詰合せは、菓子のみで作成されるわけではない。菓子の他、菓子を入れる外箱、外箱内の空間を区切るための内トレイ、菓子と菓子との間の隙間を埋め、又、箱を開けた時の見た目をよくするための装飾品などによって構成される。
【００２５】
実施形態の詰合せ販売システムでは、これらの詰合せを構成する商品（以下、「素材」という。）は、詰合せの購入を希望するユーザの端末装置の画面に、３次元画像で表示される。ユーザは、画像を見ながら、素材を自由に組み合わせて詰合せを作成し、作成した詰合せを購入することができる。
【００２６】
ただし、菓子は消費期間（使用期間）を有するものであることから、所定期間以上の消費期間が残っている必要がある。そこで、実施形態の詰合せ販売システムでは、消費期間が満了する日（消費期限、使用期限）までに所定期間以上の期間を有する菓子でのみ構成される詰合せを作成した場合の発送予定日（詰合せを発送することが可能な日）を算出し、ユーザに通知する。この発送予定日は、菓子の提供者に素材の発注を行ってから提供されるまでの期間や、一度に提供できる個数等を考慮して算出される。そして、詰合せの購入を希望するユーザは、通知された発送予定日に納得した場合に、その詰合せを注文する。従って、実施形態の詰合せ販売システムでは、ユーザは、適切な消費期限を有する菓子を自由に組み合わせた詰合せを購入することができる。一方、詰合せ販売者（詰合せ作成者）は、在庫を必要以上に多く持つ必要がなく、消費期限を過ぎた菓子を無駄にすることもないという利点がある。
【００２７】
以下、本発明にかかる実施の一形態を図面に基づいて説明する。
【００２８】
＜構成＞
図１は、詰合せ販売システム１００の構成例を示す図である。詰合せ販売システム１００は、管理サーバ装置１０００、素材提供者端末装置２０００、詰合せ購入者端末装置３０００、及び、ネットワーク１０１を備える。
【００２９】
管理サーバ装置１０００は、詰合せの販売者により管理され、詰合せ販売サイトを運営するための、いわゆるサーバ装置である。
【００３０】
素材提供者端末装置２０００Ａ、素材提供者端末装置２０００Ｂ、素材提供者端末装置２０００Ｃは、素材の提供者が有する、いわゆるパソコン等の端末装置である。詰合せ購入者端末装置３０００Ａ、詰合せ購入者端末装置３０００Ｂは、詰合せ購入者が有する、いわゆるパソコン等の端末装置である。以下、素材提供者端末装置２０００Ａ、Ｂ、Ｃを総称して、素材提供者端末装置２０００といい、詰合せ購入者端末装置３０００Ａ、Ｂを総称して、詰合せ購入者端末装置３０００という。尚、図１では、説明の便宜上、素材提供者端末装置２０００として素材提供者端末装置２０００Ａ、Ｂ、Ｃの３つ、詰合せ購入者端末装置３０００として詰合せ購入者端末装置３０００Ａ、Ｂの２つを記載しているが、これらの数に限られない。
【００３１】
素材提供者端末装置２０００、及び、詰合せ購入者端末装置３０００は、インターネット等の広域ネットワークであるネットワーク１０１を介して、管理サーバ装置１０００と接続される。
【００３２】
詰合せ購入者端末装置３０００は、例えば、Ｗｅｂブラウザ機能を有し、管理サーバ装置１０００にＨＴＴＰ（Ｈｙｐｅｒ  Ｔｅｘｔ  Ｔｒａｎｓｆｅｒ  Ｐｒｏｔｏｃｏｌ）リクエストを送信し、そのレスポンスとしてＷｅｂページ等の表示データを受信して、詰合せ注文画面をディスプレイに表示する。一方、管理サーバ装置１０００は、詰合せ購入者端末装置３０００からのリクエストに応じて、Ｗｅｂページ等の表示データを作成して詰合せ購入者端末装置３０００に送信する。詰合せを購入しようとするユーザは、詰合せ購入者端末装置３０００に表示される詰合せ注文画面を操作して、所望の詰合せを作成し、注文を行う。つまり、詰合せ購入者端末装置３０００は、管理サーバ装置１０００が運営する詰合せ販売サイトを介して、所望の詰合せを購入する。
【００３３】
ここで、図１７、及び、図１８を用いて、ユーザが詰合せを注文する手順の例を説明する。図１７は、詰合せ販売サイトの注文画面の例を示す図であり、図１８は、注文画面の遷移例を示す図である。
【００３４】
図１７に示すように、詰合せ注文画面ＷＩＮは、大きく７つの領域に分かれている。
外箱素材表示領域１０、内トレイ素材表示領域２０、菓子素材表示領域３０、装飾素材表示領域４０、詰合せ作成領域５０、注文情報表示領域６０、及び、モデル表示領域７０である。外箱素材表示領域１０は、ユーザが選択できる外箱素材の画像一覧が表示される領域である。内トレイ素材表示領域２０は内トレイ素材の画像一覧が表示される領域であり、菓子素材表示領域３０は菓子素材の画像一覧が表示される領域であり、装飾素材表示領域４０は装飾素材の画像一覧が表示される領域である。詰合せ作成領域５０は、ユーザが詰合せを作成するための、いわゆる作業領域である。モデル表示領域７０は、作成した詰合せモデルの画像一覧が表示される領域である。
【００３５】
注文情報表示領域６０は、詰合せ作成領域５０で作成されている詰合せに関する注文情報が表示される領域である。保存ボタン５１は、詰合せ作成領域５０で作成されている詰合せをモデルとして保存するためのボタンである。ユーザが、この保存ボタン５１をマウス等でクリックすると、詰合せ作成領域５０で作成されている詰合せが詰合せモデルとして記憶部に記憶される。注文情報表示領域６０は、選択素材表示領域６１、詳細情報表示領域６２、及び、注文ボタン６３を含む。選択素材表示領域６１には、現在選択されている素材、つまり、詰合せ作成領域５０に表示されている素材の一覧（名称、値段、カロリーなど）が表示される。詳細情報表示領域６２には、現在選択されている素材の合計金額、つまり、詰合せの金額、出荷予定日（詰合せの発送予定日）、詰合せの素材の中で最も消費期限が近い日を示す消費期限が表示される。注文ボタン６３は、詰合せ作成領域５０に表示されている詰合せの注文を行うためのボタンである。ユーザが、この注文ボタン６３をマウス等でクリックすると、実際に注文が行われる。
【００３６】
詰め合わせを作成するユーザは、外箱素材表示領域１０、内トレイ素材表示領域２０、菓子素材表示領域３０、及び、装飾素材表示領域４０に表示されている素材の画像を選択し、例えば、素材の画像をドラッギングして詰合せ作成領域５０に移動させ、所望の位置に配置することを繰り返して、詰合せを作成する。また、ユーザは、モデル表示領域７０に表示されている詰合せモデルを選択して、所望の素材を入れ替えたり、追加して詰合せを作成することもできる。詰合せ作成領域５０に素材を配置する度に、選択素材表示領域６１に表示されている素材の名称と値段等、及び、詳細情報表示領域６２に表示されている合計金額等が更新される。
【００３７】
尚、実施形態では、外箱、内トレイ、菓子、装飾品によって詰合せを作成することとしているが、これらの他に、包装紙やリボンなどのパッケージ用の素材も選択できることとしても良い。また、内トレイは、菓子を外箱内に安定させて配置するためのものであり、菓子が安定する形状である場合や、ユーザが所望しない場合などには、選択されなくても良い。内トレイは、いわゆる受け皿のようなものであっても、外箱内の空間を区切るための仕切りであってもよく、また、菓子を一個ずつ包むビニール袋のようなものであっても良い。また、菓子をビニール袋に入れて、更に、受け皿状のトレイに配置するなど、内トレイを複数種類用いても良い。
【００３８】
図１８に、詰合せ作成領域５０に表示される詰合せの作成過程の例を示す。詰合せ画像Ｇ０１から詰合せ画像Ｇ１０まで、順に遷移する画像を示す。まず、ユーザは、外箱素材表示領域１０から１つの外箱を選択する（詰合せ画像Ｇ０１）。次に、内トレイ素材表示領域２０から１つの内トレイを選択し、外箱内の右側に配置し（詰合せ画像Ｇ０２）、更に、１つの内トレイを選択して、先に配置した内トレイの左上に配置する（詰合せ画像Ｇ０３）。次に、ユーザは、菓子素材表示領域３０から１つの菓子を選択し、最初に配置した内トレイの上側に配置する（詰合せ画像Ｇ０４）。このように、ユーザは、所望の内トレイ、菓子、装飾品を、所望の順番で、所望の位置に配置して、詰合せ画像Ｇ１０に示される詰合せを完成させる。ユーザは、１つの素材を配置する度に詳細情報表示領域６２に表示される合計金額や出荷予定日を見ながら、素材をキャンセルしたり、更に追加する等して、詰合せを完成させる。尚、素材の画像は３次元画像であり、ユーザは、詰合せ作成領域５０に表示される詰合せを任意の方向から表示させることが可能である。また、実際の素材の寸法に応じて、配置の可否が判断され、配置できない場合には、詰合せ作成領域５０においても配置できないように制御される。例えば、内トレイよりも大きな菓子は、その内トレイには配置できない。実際に詰合せが作成される場合、内トレイは、例えば、外箱を傷つけることがないように簡単に剥がせる両面テープ等で、外箱内に固定される。
【００３９】
次に、図２を用いて、管理サーバ装置１０００、素材提供者端末装置２０００、及び、詰合せ購入者端末装置３０００の構成を説明する。図２は、管理サーバ装置１０００、素材提供者端末装置２０００、詰合せ購入者端末装置３０００の機能ブロック図である。
【００４０】
管理サーバ装置１０００は、詰合せ販売システム制御部１１００、通信部１２００、メンバー登録処理部１３００、素材登録処理部１４００、注文処理部１５００、詰合せモデル登録処理部１６００、到着予定日算出部１７００、発送予定日算出部１８００、インターフェース部１９００、メンバー情報記憶部８１００、素材情報記憶部８２００、詰合せモデル情報記憶部８３００、及び、在庫情報記憶部８４００を備える。
【００４１】
詰合せ販売システム制御部１１００は、他の機能部を制御して、詰合せを販売する処理を行う。
【００４２】
通信部１２００は、ネットワーク１０１を介して、素材提供者端末装置２０００、及び、詰合せ購入者端末装置３０００と通信する。
【００４３】
メンバー登録処理部１３００は、素材提供者端末装置２０００からの依頼に応じて、素材提供者を登録する処理を行う。具体的には、素材提供者端末装置２０００からメンバー登録の依頼があると、メンバー登録処理部１３００は、素材提供者端末装置２０００からメンバー情報を取得し、取得したメンバー情報をメンバー情報記憶部８１００に記憶させる。実施形態では、素材を提供する者は、予め、メンバー登録を行うものとする。
【００４４】
素材登録処理部１４００は、素材提供者端末装置２０００からの依頼に応じて、メンバーにより提供される素材を登録する処理を行う。具体的には、素材登録処理部１４００は、素材提供者端末装置２０００から素材登録の依頼があると、素材の３次元画像データ、素材のサイズ等の素材情報を、素材提供者端末装置２０００から取得する。そして、素材登録処理部１４００は、取得した素材情報を、その素材の提供者と対応付けて素材情報記憶部８２００に記憶させる。
【００４５】
注文処理部１５００は、詰合せ購入者からの詰合せの注文を受けつける処理を行う。具体的には、注文処理部１５００は、詰合せ購入者端末装置３０００からユーザが選択した詰合せを構成する素材を取得し、詰合せを実際に作成した場合の値段、発送予定日等の情報を算出する。そして、注文処理部１５００は、算出した情報を詰合せ購入者端末装置３０００に送信し、詰合せ購入者端末装置３０００から注文情報を受信すると、注文が確定したと判断する。注文が確定したと判断した注文処理部１５００は、その注文の詰合せを構成する素材及び配置等の詰合せ情報、発送予定日等を、注文者（詰合せ購入者）の情報と対応付けて、確定注文情報記憶部（不図示）に記憶させる。詰合せ販売者は、確定注文情報記憶部に記憶されている詰合せ情報に従って、必要に応じて素材提供者に素材を注文（発注）し、発送予定日に実際の詰合せを作成して注文者に発送する。
【００４６】
詰合せモデル登録処理部１６００は、詰合せ購入者端末装置３０００からの指示に応じて、具体的には、保存ボタン５１がユーザにより押下されると、現在作成中の詰合せに関する詰合せ情報を、詰合せモデルとして詰合せモデル情報記憶部８３００に記憶させる。詰合せモデルは、詰合せとしての完成品であっても、その途中の未完成品であっても良い。詰合せ購入者は、例えば、詰合せ注文画面ＷＩＮ（図１７）のモデル表示領域７０に表示されている詰合せモデルを選択して、自分の好みに応じて素材を入れ替えたり、追加したりして、新たな詰合せを作成できる。モデル表示領域７０に表示される詰合せモデルは、自分が作成した詰合せだけでなく、他のユーザが作成して保存したものも表示されても良い。
【００４７】
到着予定日算出部１７００は、詰合せを構成する素材のうちで、在庫がなく不足する素材を発注した場合に、詰合せ販売者のもとに到着する予定日を算出する。
【００４８】
発送予定日算出部１８００は、詰合せ販売者が、詰合せを実際に発送することが可能な日（発送予定日）を算出する。
【００４９】
インターフェース部１９００は、いわゆるマンマシンインターフェースであり、表示部、及び、入力部を備える。表示部は、各記憶部に記憶されているデータや、プログラムによるＧＵＩ（Ｇｒａｐｈｉｃａｌ  Ｕｓｅｒ  Ｉｎｔｅｒｆａｃｅ）等を出力する機器であり、例えば、ＬＣＤ（Ｌｉｑｕｉｄ  Ｃｒｙｓｔａｌ  Ｄｉｓｐｌａｙ）ディスプレイ、有機ＥＬ（Ｅｌｅｃｔｒｏ  Ｌｕｍｉｎｅｓｃｅｎｃｅ）ディスプレイ等の表示装置である。入力部は、さまざまな操作指示を管理サーバ装置１０００に入力する機器、例えば、キーボード、マウス、タッチパネル等である。
【００５０】
メンバー情報記憶部８１００は、メンバー登録された素材提供者に関するメンバー情報を記憶する。
【００５１】
素材情報記憶部８２００は、メンバーによって提供される素材であって、詰合せを構成する素材に関する素材情報を記憶する。素材情報記憶部８２００に記憶されている各素材の画像は、詰合せ注文画面ＷＩＮ（図１７）の外箱素材表示領域１０、内トレイ素材表示領域２０、菓子素材表示領域３０、装飾素材表示領域４０の各領域に表示される。
【００５２】
詰合せモデル情報記憶部８３００は、詰合せの構成案を記憶する。詰合せモデル情報記憶部８３００に記憶されている詰合せモデルは、詰合せ注文画面ＷＩＮの注文情報表示領域６０に表示される。
【００５３】
在庫情報記憶部８４００は、詰合せ販売者が保持している素材の在庫の量等を記憶する。
【００５４】
メンバー情報記憶部８１００、素材情報記憶部８２００、詰合せモデル情報記憶部８３００、及び、在庫情報記憶部８４００に記憶されているデータについては、＜データ＞の項で説明する。
【００５５】
次に、素材提供者端末装置２０００は、通信部２１００、インターフェース部２２００、登録処理部２３００、及び、素材情報記憶部２４００を備える。
【００５６】
通信部２１００は、ネットワーク１０１を介して、管理サーバ装置１０００と通信する。
【００５７】
インターフェース部２２００は、いわゆるマンマシンインターフェースであり、表示部、及び、入力部を備える。表示部は、メンバー登録するために入力したデータ等を出力する表示装置であり、入力部は、メンバーの情報や素材の情報を素材提供者端末装置２０００に入力するためのキーボード等である。
【００５８】
登録処理部２３００は、管理サーバ装置１０００のメンバー登録処理部１３００と通信を行って、素材を提供するためのメンバーを登録する処理を行い、素材登録処理部１４００と通信を行って、素材を登録する処理を行う。具体的には、登録処理部２３００は、素材の提供を希望するユーザから、インターフェース部２２００を介して、ユーザの住所等のメンバー情報を取得し、メンバー登録処理部１３００に送信する。また、登録処理部２３００は、登録メンバーであるユーザから、インターフェース部２２００を介して、提供する素材の画像データ等の素材情報を取得し、素材登録処理部１４００に送信する。
【００５９】
素材情報記憶部２４００は、素材の３次元画像データ、素材のサイズなど、提供する素材に応じたデータを記憶しておく。
【００６０】
次に、詰合せ購入者端末装置３０００は、通信部３１００、インターフェース部３２００、及び、注文処理部３３００を備える。
【００６１】
通信部３１００は、ネットワーク１０１を介して、管理サーバ装置１０００と通信する。
【００６２】
インターフェース部３２００は、いわゆるマンマシンインターフェースであり、表示部、及び、入力部を備える。表示部は、詰合せを作成するためのＧＵＩ等を出力する表示装置であり、詰合せ注文画面ＷＩＮ（図１７）を表示する。入力部は、詰合せを構成する素材等の選択、移動等のさまざまな操作指示を素材提供者端末装置２０００に入力する、例えば、マウス、キーボード等である。
【００６３】
注文処理部３３００は、管理サーバ装置１０００の注文処理部１５００と通信を行って、詰合せの注文処理を行う。具体的には、注文処理部３３００は、管理サーバ装置１０００から詰合せ注文画面ＷＩＮの画面データ等を取得して、インターフェース部３２００に表示させる。そして、ユーザが詰合せを完成して注文ボタン６３（図１７参照）を押下すると、注文情報を管理サーバ装置１０００に送信する。
【００６４】
管理サーバ装置１０００、素材提供者端末装置２０００、詰合せ購入者端末装置３０００は、上述のようにいわゆるコンピュータで構成され、それぞれハードディスク等の記憶部（不図示）に格納されているソフトウェアプログラムがＣＰＵ（Ｃｅｎｔｒａｌ  Ｐｒｏｃｅｓｓｉｎｇ  Ｕｎｉｔ）により実行されることによって上述の各機能部の全部又は一部がコンピュータに機能的に構成される。
【００６５】
＜データ＞
次に、詰合せ販売システム１００で用いる主なデータについて説明する。
【００６６】
図３は、管理サーバ装置１０００のメンバー情報記憶部８１００に記憶されているメンバー情報テーブル８１１０の構成及び内容の例を示す図である。メンバー情報テーブル８１１０には、メンバー登録した素材提供者ごとに、１レコードが登録されている。メンバー情報テーブル８１１０は、メンバーＩＤ８１１１、及び、住所８１１２を有する。
【００６７】
メンバーＩＤ８１１１は、素材提供者を特定するための識別子を示す。
【００６８】
住所８１１２は、メンバーＩＤ８１１１が示す素材提供者の住所を示す。詰合せ販売者は、この住所８１１２のメンバーＩＤ８１１１宛に、素材の発注を行う。尚、図３のメンバー情報テーブル８１１０には、説明の便宜上、住所８１１２を記載しているが、メンバーＩＤ８１１１が示す素材提供者に商品を発注するのに必要な情報、例えば、メールアドレス、電話番号等を必要に応じて記憶しておく。
【００６９】
図４は、管理サーバ装置１０００の素材情報記憶部８２００に記憶されている外箱素材情報テーブル８２１０の構成及び内容の例を示す図である。外箱素材情報テーブル８２１０には、メンバー（素材提供者）が提供する外箱素材ごとに、１レコードが登録されている。外箱素材情報テーブル８２１０は、品番８２１１、外寸８２１２、内寸８２１３、受注最小数８２１４、受注最大数８２１５、納期日数８２１６、身部画像８２１７、蓋部画像８２１８、及び、メンバーＩＤ８２１９を有する。尚、外箱素材情報テーブル８２１０には、１素材当たりの販売金額など、詰合せの販売に必要な情報も含まれている。
【００７０】
品番８２１１は、外箱素材を特定するための識別子を示す。
【００７１】
外寸８２１２は、品番８２１１が示す外箱素材の実際の外箱について、外側の寸法を示す。カンマで区切られた最初の数値が縦の寸法を示し、２番目の数値が横の寸法を示し、３番目の数値が高さの寸法を示す。単位はミリメートルである。
【００７２】
内寸８２１３は、品番８２１１が示す外箱素材の実際の外箱について、内側の寸法を示す。カンマで区切られた最初の数値が縦の寸法を示し、２番目の数値が横の寸法を示し、３番目の数値が高さの寸法を示す。単位はミリメートルである。
【００７３】
受注最小数８２１４は、品番８２１１が示す外箱素材を素材提供者が受注できる最小の個数を示す。
【００７４】
受注最大数８２１５は、品番８２１１が示す外箱素材を素材提供者が受注できる最大の個数を示す。つまり、詰合せ販売者は、品番８２１１が示す外箱素材を発注する場合、受注最小数８２１４が示す個数以上の数であって、受注最大数８２１５が示す個数以下の数を発注する必要がある。例えば、品番８２１１が「Ｂ００１」の外箱素材は、受注最小数８２１４が「１０」、受注最大数８２１５が「２０」であるので、１０個以上で２０個以下の個数の発注が可能であることになる。
【００７５】
納期日数８２１６は、品番８２１１が示す外箱素材を発注した場合に、外箱素材が詰合せ販売者のもとに到着するまでの日数を示す。
【００７６】
身部画像８２１７は、品番８２１１が示す外箱素材の、いわゆる身の部分の画像データを示す。画像データには、３次元形状データ、テクスチャデータ等の、素材を実物に似せて画面に表示するためのデータが含まれる。
【００７７】
蓋部画像８２１８は、品番８２１１が示す外箱素材の、いわゆる蓋の部分の画像データを示す。
【００７８】
メンバーＩＤ８２１９は、品番８２１１が示す外箱素材の提供者の識別子を示す。この素材提供者の識別子は、メンバー情報テーブル８１１０（図３）のメンバーＩＤ８１１１として設定されている識別子のうちのいずれか一つである。
【００７９】
図５は、管理サーバ装置１０００の素材情報記憶部８２００に記憶されている内トレイ素材情報テーブル８２２０の構成及び内容の例を示す図である。内トレイ素材情報テーブル８２２０には、メンバー（素材提供者）が提供する内トレイ素材ごとに、１レコードが登録されている。内トレイ素材情報テーブル８２２０は、品番８２２１、外寸８２２２、内寸８２２３、受注最小数８２２４、受注最大数８２２５、納期日数８２２６、配置情報８２２７、画像８２２８、及び、メンバーＩＤ８２２９を有する。尚、内トレイ素材情報テーブル８２２０には、１素材当たりの販売金額など、詰合せの販売に必要な情報も含まれている。
【００８０】
品番８２２１は、内トレイ素材を特定するための識別子を示す。
【００８１】
外寸８２２２は、品番８２２１が示す内トレイ素材の実際の内トレイについて、外側の寸法を示す。カンマで区切られた最初の数値が縦の寸法を示し、２番目の数値が横の寸法を示し、３番目の数値が高さの寸法を示す。単位はミリメートルである。
【００８２】
内寸８２２３は、品番８２２１が示す内トレイ素材の実際の内トレイについて、内側の寸法を示す。カンマで区切られた最初の数値が縦の寸法を示し、２番目の数値が横の寸法を示し、３番目の数値が高さの寸法を示す。単位はミリメートルである。
【００８３】
受注最小数８２２４は、品番８２２１が示す内トレイ素材を素材提供者が受注できる最小の個数を示す。
【００８４】
受注最大数８２２５は、品番８２２１が示す内トレイ素材を素材提供者が受注できる最大の個数を示す。
【００８５】
納期日数８２２６は、品番８２２１が示す内トレイ素材を発注した場合に、内トレイ素材が詰合せ販売者のもとに到着するまでの日数を示す。
【００８６】
配置情報８２２７は、品番８２２１が示す内トレイ素材内に、菓子素材を配置する方法を示す。配置情報８２２７は、「方向」項目、及び、「角度」項目を有する。
【００８７】
「方向」項目は、菓子素材を内トレイ内に配置する方向を示す。「方向」項目として「縦」が設定されている場合は、内トレイの縦方向に順に菓子素材が並べられる（配置される）ことを示す。例えば、ユーザが菓子をドラッギングして内トレイ内に移動させると、内寸８２２３で示された寸法の縦方向に菓子素材が配置される。また、「方向」項目として「横」が設定されている場合は、内トレイの横方向に順に菓子素材が並べられることを示す。また、「角度」項目は、内トレイ内に配置される菓子素材の角度を示す。尚、図５では、「方向」と「角度」によって、内トレイ内に菓子素材を配置する方法を決めることとしているが、例えば、内トレイの種類（形状）、及び、菓子素材の形状等に応じて、他の方法で配置することとしても良い。例えば、菓子素材の寸法が内トレイの横方向の寸法より大きいが縦方向の寸法より小さい場合には「方向」を「縦」に変えて配置する、また、飴のように菓子素材の寸法が小さい場合には、配置方法はランダムとする等である。配置情報８２２７は、内トレイに菓子を最適に配置するための情報であればよい。最適に配置とは、菓子を実際に配置した場合に、内トレイ内の空間の無駄が少ない、見栄えが良い等の配置をいう。
【００８８】
図１９は、菓子素材の配置例を示す図である。両端矢印８１は、内トレイ８０の横の寸法（内寸）を示すものとする。図１９では、内トレイ８０の横方向に、角度８３で示される角度（例えば、６０度）で、菓子８２が４つ並べて配置されている。従って、この内トレイ８０の配置情報８２２７の「方向」項目は「横」、「角度」項目は「６０」であることになる。尚、菓子８２を、内トレイ８０の横方向のいずれの端から並べ始めるかは、ユーザが最初の菓子８２を配置した位置に近い端から並べ始めることとする。又は、予め並べ始める端を決めておいても良い。
【００８９】
画像８２２８は、品番８２２１が示す内トレイ素材の画像データを示す。
【００９０】
メンバーＩＤ８２２９は、品番８２２１が示す内トレイ素材の提供者の識別子を示す。
【００９１】
図６は、管理サーバ装置１０００の素材情報記憶部８２００に記憶されている菓子素材情報テーブル８２３０の構成及び内容の例を示す図である。菓子素材情報テーブル８２３０には、メンバー（素材提供者）が提供する菓子素材ごとに、１レコードが登録されている。菓子素材情報テーブル８２３０は、品番８２３１、外寸８２３２、消費期間８２３３、受注最小数８２３４、受注最大数８２３５、納期日数８２３６、エネルギー８２９１、トレイ要否８２３７、画像８２３８、及び、メンバーＩＤ８２３９を有する。尚、菓子素材情報テーブル８２３０には、１素材当たりの販売金額など、詰合せの販売に必要な情報も含まれている。
【００９２】
品番８２３１は、菓子素材を特定するための識別子を示す。
【００９３】
外寸８２３２は、品番８２３１が示す菓子素材の実際の菓子について、外側の寸法を示す。図６では、菓子に外接する立方体の縦、横、高さの寸法を示す。尚、円形状の菓子であれば、直径と厚さ、球形状の菓子であれば直径などのように示すこととしても良い。
消費期間８２３３は、品番８２３１が示す菓子素材の消費期間を示す。この消費期間は、製造日からの品質を保証する期間である。単位は、日である。
【００９４】
受注最小数８２３４は、品番８２３１が示す菓子素材を素材提供者が受注できる最小の個数を示す。
【００９５】
受注最大数８２３５は、品番８２３１が示す菓子素材を素材提供者が受注できる最大の個数を示す。
【００９６】
納期日数８２３６は、品番８２３１が示す菓子素材を発注した場合に、菓子が詰合せ販売者のもとに到着するまでの日数を示す。
エネルギー８２９１は、品番８２３１が示す菓子素材のエネルギー量（熱量）を示す。単位は、キロカロリーである。この菓子ごとのカロリーは、素材提供者が素材を登録する際に情報提供する、または、詰合せ販売者が測定する。
【００９７】
トレイ要否８２３７は、品番８２３１が示す菓子素材を、外箱内に配置する際に内トレイ内であることを必要とするか否かを示す。「要」は、品番８２３１が示す菓子素材は内トレイ内（上）にのみ配置できることを示し、「否」は、内トレイがない場所であっても、内トレイ内であっても配置することができることを示す。例えば、カップケーキのように、菓子と内トレイとが一体となっているような菓子素材の場合は、トレイ要否８２３７は「否」となる。
【００９８】
画像８２２８は、品番８２３１が示す菓子素材の画像データを示す。
【００９９】
メンバーＩＤ８２３９は、品番８２３１が示す菓子素材の提供者の識別子を示す。
【０１００】
図７は、管理サーバ装置１０００の素材情報記憶部８２００に記憶されている装飾素材情報テーブル８２４０の構成及び内容の例を示す図である。装飾素材情報テーブル８２４０には、メンバー（素材提供者）が提供する装飾素材ごとに、１レコードが登録されている。装飾素材情報テーブル８２４０は、品番８２４１、外寸８２４２、受注最小数８２４３、受注最大数８２４４、納期日数８２４５、画像８２４６、及び、メンバーＩＤ８２４７を有する。尚、装飾素材情報テーブル８２４０には、１素材当たりの販売金額など、詰合せの販売に必要な情報も含まれている。
【０１０１】
品番８２４１は、装飾素材を特定するための識別子を示す。
【０１０２】
外寸８２４２は、品番８２４１が示す装飾素材の実際の装飾品について、外側の寸法を示す。図７では、装飾品に外接する立方体の縦、横、高さの寸法を示す。尚、装飾品が変形する素材である場合には、縦、横、高さそれぞれの寸法の最小値と最大値とを示すこととしても良い。
【０１０３】
受注最小数８２４３は、品番８２４１が示す装飾素材を素材提供者が受注できる最小の個数を示す。
【０１０４】
受注最大数８２４４は、品番８２４１が示す装飾素材を素材提供者が受注できる最大の個数を示す。
【０１０５】
納期日数８２４５は、品番８２４１が示す装飾素材を発注した場合に、装飾品が詰合せ販売者のもとに到着するまでの日数を示す。
【０１０６】
画像８２４６は、品番８２４１が示す装飾素材の画像データを示す。
【０１０７】
メンバーＩＤ８２４７は、品番８２４１が示す装飾素材の提供者の識別子を示す。
【０１０８】
次に、図８は、管理サーバ装置１０００の在庫情報記憶部８４００に記憶されている外箱在庫情報テーブル８４１０の構成及び内容の例を示す図である。外箱在庫情報テーブル８４１０には、メンバー（素材提供者）が提供する外箱素材ごとに、１レコードが登録されている。外箱在庫情報テーブル８４１０は、品番８４１１、及び、在庫数８４１２を有する。
【０１０９】
品番８４１１は、外箱素材を特定するための識別子を示す。品番８４１１として設定される識別子は、外箱素材情報テーブル８２１０（図４）の品番８２１１として設定されている識別子と同じである。
【０１１０】
在庫数８４１２は、品番８４１１が示す外箱素材の在庫数を示す。
【０１１１】
素材提供者が受注できる個数の最小値が２個以上のものがあるため、発注して届いた素材のうち、詰合せとして発送した素材以外のものが、在庫となる。
【０１１２】
図９は、管理サーバ装置１０００の在庫情報記憶部８４００に記憶されている内トレイ在庫情報テーブル８４２０の構成及び内容の例を示す図である。内トレイ在庫情報テーブル８４２０には、メンバー（素材提供者）が提供する内トレイ素材ごとに、１レコードが登録されている。内トレイ在庫情報テーブル８４２０は、品番８４２１、及び、在庫数８４２２を有する。
【０１１３】
品番８４２１は、内トレイ素材を特定するための識別子を示す。品番８４２１として設定される識別子は、内トレイ素材情報テーブル８２２０（図５）の品番８２２１として設定されている識別子と同じである。
【０１１４】
在庫数８４２２は、品番８４２１が示す内トレイ素材の在庫数を示す。
【０１１５】
図１０は、管理サーバ装置１０００の在庫情報記憶部８４００に記憶されている菓子在庫情報テーブル８４３０の構成及び内容の例を示す図である。菓子在庫情報テーブル８４３０には、メンバー（素材提供者）が提供する菓子ごとに、１レコードが登録されている。菓子在庫情報テーブル８４３０は、品番８４３１、在庫数８４３２、発送期限８４３３、及び、消費期限８４３４を有する。
【０１１６】
品番８４３１は、菓子素材を特定するための識別子を示す。品番８４３１として設定される識別子は、菓子素材情報テーブル８２３０（図６）の品番８２３１として設定されている識別子と同じである。
【０１１７】
在庫数８４３２は、品番８４３１が示す菓子素材の在庫数を示す。
【０１１８】
発送期限８４３３は、品番８４３１が示す在庫の菓子の発送期限を示す。つまり、この発送期限までに発送すれば、この菓子には予め定めた所定期間（例えば、１０日など。）以上の消費期間が残っていることを示す。
【０１１９】
消費期限８４３４は、品番８４３１が示す在庫の菓子の、実際の消費期限を示す。従って、発送期限８４３３として設定されている日付は、消費期限８４３４として設定されている期日から、所定期間前の日付となる。また、実施形態では、菓子の数が詰合せに足りない場合にのみ発注を行うため、基本的に、在庫の菓子の消費期限は１つの品番８４３１につき１つとなる。尚、この所定期間は、菓子ごとに異なっても良い。
【０１２０】
図１１は、管理サーバ装置１０００の在庫情報記憶部８４００に記憶されている装飾在庫情報テーブル８４４０の構成及び内容の例を示す図である。装飾在庫情報テーブル８４４０には、メンバー（素材提供者）が提供する装飾素材ごとに、１レコードが登録されている。装飾在庫情報テーブル８４４０は、品番８４４１、及び、在庫数８４４２を有する。
【０１２１】
品番８４４１は、装飾素材を特定するための識別子を示す。品番８４４１として設定される識別子は、装飾素材情報テーブル８２４０（図７）の品番８２４１として設定されている識別子と同じである。
【０１２２】
在庫数８４４２は、品番８４４１が示す装飾素材の在庫数を示す。
【０１２３】
＜動作＞
次に、図１２〜図１６を用いて、詰合せ販売システム１００が行う詰合せ販売処理について説明する。
【０１２４】
まず、図１２を用いて、素材提供者及び素材の登録処理について説明する。図１２は、メンバー登録処理のフローチャートである。図１２において、破線で記載されている矩形、及び、矢印は、メンバー及び販売業者が自ら行う処理であることを示す。
【０１２５】
詰合せ販売システム１００に素材を提供しようとするユーザは、通信部２１００を介して詰合せ販売サイトにアクセスし、メンバー登録を行う（ステップＳ１０、Ｓ２０）。具体的には、例えば、ユーザは、メンバー登録を行うためのページ表示等を行う登録処理部２３００を詰合せ販売サイトから取得し、インターフェース部２２００を介して、登録に必要な個人情報（住所等）を入力する。個人情報をユーザから取得した登録処理部２３００は、取得した個人情報を管理サーバ装置１０００に送信する。管理サーバ装置１０００の通信部１２００を介して個人情報を受信したメンバー登録処理部１３００は、受信した個人情報をもとに、メンバー情報テーブル８１１０（図３）に、メンバー登録を行う。つまり、メンバー登録処理部１３００は、新たなメンバーＩＤを生成してメンバーＩＤ８１１１として設定し、個人情報に含まれる住所を住所８１１２として設定したレコードを作成し、作成したレコードをメンバー情報テーブル８１１０に追加する。
【０１２６】
メンバー情報テーブル８１１０にレコードを追加したメンバー登録処理部１３００は、追加したレコードのメンバーＩＤ８１１１として設定したメンバーＩＤを、素材提供者端末装置２０００に登録情報として送信する。メンバーＩＤを受信した素材提供者端末装置２０００の登録処理部２３００は、受信したメンバーＩＤをインターフェース部２２００の表示部に表示する。ユーザは、インターフェース部２２００に表示されたメンバーＩＤを見ることで、自分がこのメンバーＩＤでメンバー登録がなされたことを確認することができる。
【０１２７】
メンバー登録したユーザは、次に、提供する素材の３次元の画像データ（ＣＧ画像）を、３次元スキャナ等を用いて作成する（ステップＳ１１：Ｙｅｓ、ステップＳ１３）。作成された素材の画像データは、素材情報記憶部２４００に記憶される。登録処理部２３００は、ユーザが素材のＣＧ画像の送信コマンドを入力したことを検出すると、素材情報記憶部２４００から画像データを読み出し、読み出した画像データを管理サーバ装置１０００に送信する（ステップＳ１４）。
【０１２８】
一方、ユーザが素材の３次元画像を作成しない場合（ステップＳ１１：Ｎｏ）は、素材そのものを、詰合せ販売者宛に送る（ステップＳ１２）。メンバーから素材を受け取った詰合せ販売者は、受け取った素材の画像データを作成する（ステップＳ２１）。
【０１２９】
次に、登録処理部２３００は、提供する素材についてのＣＧ画像以外の情報を、インターフェース部２２００を介してユーザから取得すると、取得した情報を管理サーバ装置１０００に送信する（ステップＳ１５、ステップＳ１６、ステップＳ１７）。素材を登録するために必要な情報は、全素材に共通な情報と、素材に応じて異なる情報とがある。全素材に共通の情報とは、素材の外寸（サイズ）、受注できる数、納期日数などである（ステップＳ１６）。また、素材に応じた情報とは、例えば、期限を有する素材である菓子素材の場合（ステップＳ１５：Ｙｅｓ）は、消費期間の情報が必要である（ステップＳ１７）。これらの登録に必要な情報を、素材に応じて登録処理部２３００はユーザから取得して、ユーザのメンバーＩＤとともに管理サーバ装置１０００に送信する。
【０１３０】
素材提供者端末装置２０００の登録処理部２３００から、素材の情報及びメンバーＩＤを受信した管理サーバ装置１０００の素材登録処理部１４００は、素材の種類に応じてレコード作成して、作成したレコードを外箱素材情報テーブル８２１０、内トレイ素材情報テーブル８２２０、菓子素材情報テーブル８２３０、装飾素材情報テーブル８２４０のいずれかに追加する（ステップＳ２２）。例えば、素材提供者端末装置２０００から外箱素材の情報を受信した素材登録処理部１４００は、新たな品番（例えば、「Ｂ００８」）を作成して、レコードの品番８２１１として設定し、受信した情報を外寸８２１２〜納期日数８２１６として設定する。また、素材登録処理部１４００は、素材提供者端末装置２０００から受信した素材の画像データ、又は、詰合せ販売者が作成した画像データを、身部画像８２１７及び蓋部画像８２１８として設定し、受信したメンバーＩＤをメンバーＩＤ８２１９として設定してレコードを作成し、外箱素材情報テーブル８２１０に追加する。
【０１３１】
このように、管理サーバ装置１０００のメンバー情報記憶部８１００にはメンバー情報テーブル８１１０が記憶され、素材情報記憶部８２００には外箱素材情報テーブル８２１０、内トレイ素材情報テーブル８２２０、菓子素材情報テーブル８２３０、装飾素材情報テーブル８２４０が記憶される。尚、これらのテーブルは、詰合せ販売システム１００の運用中に、新たなメンバーや素材の登録、既存のメンバーや素材の解除がなされる都度、更新される。
【０１３２】
次に、図１３〜図１６を用いて、詰合せ注文処理について説明する。図１３は、詰合せ注文処理のフローチャートである。図１４は、素材追加処理のフローチャートであり、図１５は、発送予定日算出処理のフローチャートであり、図１６は、到着予定日算出処理のフローチャートである。
【０１３３】
詰合せ販売システム１００で詰合せを購入しようとするユーザは、通信部３１００を介して詰合せ販売サイトにアクセスし、詰合せ作成開始処理を行う（ステップＳ３０、Ｓ４０）。具体的には、例えば、ユーザは、詰合せ販売サイトの詰合せ注文画面ＷＩＮ（図１７）の表示等を行うために必要な注文処理部３３００を詰合せ販売サイト（管理サーバ装置１０００）から取得する。注文処理部３３００は、詰合せ注文画面ＷＩＮに表示される素材の識別子、詰合せモデルを構成する素材の識別子リスト、各素材の画像データ、各素材の寸法情報等の、詰合せ注文画面ＷＩＮを介した詰合せ注文処理に必要な各種データを管理サーバ装置１０００から取得し、詰合せ注文画面ＷＩＮをインターフェース部３２００の表示部に表示する。管理サーバ装置１０００の詰合せ販売システム制御部１１００は、詰合せ購入者端末装置３０００が詰合せ注文画面ＷＩＮを表示するのに必要なデータを、素材情報記憶部８２００、詰合せモデル情報記憶部８３００等から読み出して、詰合せ購入者端末装置３０００に送信する。
【０１３４】
詰合せ注文画面ＷＩＮが表示されると、ユーザは詰合せの作成を開始する。注文処理部３３００は、インターフェース部３２００を介して、外箱素材表示領域１０又はモデル表示領域７０に表示されている外箱素材又は詰合せモデルの内のいずれか１つがユーザにより選択されて、詰合せ作成領域５０に配置されたことを検知すると（ステップＳ３１：Ｙｅｓ）、外箱又は詰合せモデルの素材追加処理を行う（ステップＳ３２、ステップＳ５１）。具体的には、注文処理部３３００は、ユーザの操作に応じて、詰合せ作成領域５０に外箱素材又は詰合せモデルを表示すると、外箱素材又は詰合せモデルを構成する素材の識別子を管理サーバ装置１０００に送信し、詳細情報表示領域６２に表示する情報を、管理サーバ装置１０００から受信する。そして、注文処理部３３００は、管理サーバ装置１０００から受信した情報をもとに、詰合せ作成領域５０に表示されている素材の一覧を選択素材表示領域６１に表示し、合計金額、出荷予定日、消費期限等の詳細情報を詳細情報表示領域６２に表示する。素材追加処理の詳細は、図１２を用いて後述する。
【０１３５】
尚、詰合せ販売システム１００の詰合せ作成処理においては、最初に、外箱素材か詰合せモデルが選択される必要があり、詰合せ作成の途中では、外箱素材や詰合せモデルは選択できないものとする。詰合せ作成の途中では、外箱素材や詰合せモデルが選択されて配置された場合は、それまで作成された詰合せはキャンセルされたものとすることとしても良い。
【０１３６】
次に、ユーザは、内トレイ素材表示領域２０、菓子素材表示領域３０、装飾素材表示領域４０に表示されている内トレイ素材、菓子素材、装飾素材を選択して詰合せを作成する。ユーザは、好きな順番で素材を選択して詰合せ作成領域５０に配置することができる。ただし、<データ>の項で説明したように、素材の大きさ、内トレイの要否、内トレイ内での配置情報等に応じて、素材が適切な位置や方法で配置される。このように配置されることで、実際に作成できる詰合せを作成することができる。
【０１３７】
注文処理部３３００は、内トレイ素材表示領域２０に表示されている内トレイ素材の１つがユーザにより選択されて、詰合せ作成領域５０に配置されたことを検知すると（ステップＳ３３：Ｙｅｓ）、内トレイ素材の素材追加処理を行う（ステップＳ３４、ステップＳ５２）。
【０１３８】
また、注文処理部３３００は、菓子素材表示領域３０に表示されている菓子素材の１つがユーザにより選択されて、詰合せ作成領域５０に配置されたことを検知すると（ステップＳ３３：Ｎｏ、ステップＳ３５：Ｙｅｓ）、菓子素材の素材追加処理を行う（ステップＳ３５、ステップＳ５３）。
【０１３９】
また、注文処理部３３００は、装飾素材表示領域４０に表示されている装飾素材の１つがユーザにより選択されて、詰合せ作成領域５０に配置されたことを検知すると（ステップＳ３５：Ｎｏ、ステップＳ３７：Ｙｅｓ）、装飾素材の素材追加処理を行う（ステップＳ３６、ステップＳ５４）。
【０１４０】
注文処理部３３００は、詰合せ作成領域５０の保存ボタン５１が押下されたことを検知すると（ステップＳ３７：Ｎｏ、ステップＳ３９：Ｙｅｓ）、保存ボタン５１が押下されたことを示すデータと、詰合せ作成領域５０に表示されている詰合せモデルを構成する素材一覧、各素材の配置位置等の詰合せモデルを再表示するために必要な詰合せモデルデータとを、管理サーバ装置１０００に送信する。保存ボタン５１が押下されたことを示すデータを受信した詰合せ販売システム制御部１１００は、詰合せモデル登録処理部１６００に詰合せモデルを保存するよう指示を出す。指示を受けた詰合せモデル登録処理部１６００は、受信した詰合せモデルデータを詰合せモデル登録処理部１６００に記憶させる。
【０１４１】
注文処理部３３００は、注文情報表示領域６０の注文ボタン６３が押下されたことを検知すると（ステップＳ３９：Ｎｏ、ステップＳ４０：Ｙｅｓ）、注文ボタン６３が押下されたことを示すデータを、管理サーバ装置１０００に送信する。注文ボタン６３が押下されたことを示すデータを受信した詰合せ販売システム制御部１１００は、詰合せモデル登録処理部１６００に注文確定処理を行うよう指示を出す。指示を受けて注文が確定したと判断した注文処理部１５００は、詰合せモデルを構成する素材リスト１５１０（図２０）、発送予定日等を、注文者（詰合せ購入者）の情報と対応付けて、インターフェース部１９００に表示させる。詰合せ販売者は、確定注文情報記憶部に記憶されている詰合せ情報をインターフェース部１９００に表示された素材リスト１５１０を参照して不足する素材を素材提供者に発注し、発送予定日に実際の詰合せを作成して注文者に発送する。尚、素材リスト１５１０については、図１４の素材追加処理で説明する。
【０１４２】
注文処理部３３００は、注文処理を終了する旨の指示を検知するまで、ステップＳ３３からの処理を繰り返す（ステップＳ４１：Ｎｏ）。注文処理を終了する旨の指示を検知した注文処理部３３００は（ステップＳ４１：Ｙｅｓ）、詰合せ注文画面ＷＩＮを消去するなどの終了処理を行い、処理を終了する。
【０１４３】
次に、素材追加処理について、図１４を用いて説明する。
【０１４４】
詰合せ購入者端末装置３０００の注文処理部３３００は、ユーザにより選択された素材が詰合せモデルの場合（ステップＳ６０：Ｙｅｓ）、選択された詰合せモデルを構成する素材の識別子リストを、管理サーバ装置１０００に送信する。
【０１４５】
また、ユーザにより選択された素材が外箱等の素材である場合（ステップＳ６０：Ｎｏ）、つまり、選択された素材が詰合せモデルではない場合は、選択された素材の識別子を、管理サーバ装置１０００に送信する（ステップＳ６２）。
【０１４６】
詰合せ購入者端末装置３０００から素材の識別子を受信した管理サーバ装置１０００の詰合せ販売システム制御部１１００は、受信した識別子を注文処理部１５００に渡して、追加処理を依頼する。依頼を受けた注文処理部１５００は、受信した素材が外箱素材、又は、詰合せモデルである場合（ステップＳ７１：Ｙｅｓ）、新たな詰合せであると判断して、受信した外箱素材の識別子、又は、詰合せモデルを構成する素材の識別子が登録された素材リストを作成し、作業メモリに記憶する（ステップＳ７２）。一方、受信した素材が外箱素材、及び、詰合せモデルでない場合（ステップＳ７１：Ｎｏ）、つまり、内トレイ素材、菓子素材、装飾素材のいずれかである場合、注文処理部１５００は、受信した識別子を素材リストに追加する（ステップＳ７３）。この素材リストは、詰合せ注文画面ＷＩＮの選択素材表示領域６１に表示されている素材一覧と同じ識別子を有することになる。
【０１４７】
ここで、素材リスト１５１０の構成例を、図２０に示す。素材リスト１５１０は、品番１５１１、必要数１５１２、在庫数１５１３、不足数１５１４、到着日１５１５、発送期限１５１６、及び、価格１５１７を有する。素材リスト１５１０には、詰合せを構成する素材の種類（識別子）ごとに、１レコードが登録される。尚、図１７の詰合せ注文画面ＷＩＮのように、注文情報表示領域６０に菓子ごとのカロリーや詰合せのカロリーを表示する場合には、素材リスト１５１０に、菓子ごとのカロリーも記憶されることとしても良い。
【０１４８】
品番１５１１は、詰合せ作成領域５０に表示されている詰合せ（以下、「対象詰合せ」という。）を構成する素材の識別子を示す。
【０１４９】
必要数１５１２は、品番１５１１が示す素材の、対象詰合せに含まれる数を示す。
【０１５０】
在庫数１５１３は、品番１５１１が示す素材の在庫数を示す。
【０１５１】
不足数１５１４は、品番１５１１が示す素材について、必要数１５１２が示す数から在庫数１５１３が示す数を引いた数を示す。
【０１５２】
到着日１５１５は、品番１５１１が示す素材について、不足数１５１４が示す数の素材を発注した場合に、素材が到着する予定日を示す。
【０１５３】
発送期限１５１６は、品番１５１１が示す素材の発送期限を示す。尚、発送期限１５１６は、消費期限を有する素材にのみ設定される。
【０１５４】
価格１５１７は、品番１５１１が示す素材の１個の価格を示す。
【０１５５】
ステップＳ７２、及び、ステップＳ７３の処理において、注文処理部１５００は、品番１５１１、及び、必要数１５１２を設定したレコードを素材リスト１５１０に登録、又は、必要数１５１２として設定されている数を変更する。
【０１５６】
次に、注文処理部１５００は、素材情報記憶部８２００に記憶されている外箱素材情報テーブル８２１０、内トレイ素材情報テーブル８２２０、菓子素材情報テーブル８２３０、装飾素材情報テーブル８２４０を参照し、品番１５１１として設定されているすべての素材のレコードに、在庫数１５１３、及び、不足数１５１４を設定する。すべての素材について在庫がある場合、つまり、不足数１５１４が「０（ゼロ）」である場合（ステップＳ７４：Ｙｅｓ）、注文処理部１５００は、本日を発送予定日と決定する（ステップＳ７５）。
【０１５７】
一方、不足の素材がある場合（ステップＳ７４：Ｎｏ）、注文処理部１５００は、発送予定日の算出を発送予定日算出部１８００に依頼する（ステップＳ７６）。
【０１５８】
ここで、図１５、図１６を用いて、発送予定日算出部１８００が行う発送予定日算出処理を説明する。
【０１５９】
発送予定日算出部１８００は、素材リスト１５１０の品番１５１１として設定されている識別子が期限を有しない素材、つまり、菓子素材以外の素材であって、不足数１５１４が「０（ゼロ）」より大きい数が設定してある素材について、これら不足する全素材を発注した場合の第１到着予定日を算出するよう、到着予定日算出部１７００に依頼する。依頼を受けた到着予定日算出部１７００は、第１到着予定日算出処理を行い、第１到着予定日を算出する（ステップＳ８０：Ｙｅｓ、ステップＳ８１）。
【０１６０】
ここで、到着予定日算出処理について、図１６を用いて説明する。到着予定日算出部１７００は、まず、１つの不足素材について、素材情報記憶部８２００に記憶されているその不足素材のテーブル、例えば、内トレイ素材情報テーブル８２２０等を参照して、素材提供者に発注した場合の到着予定日を求める（ステップ９０）。例えば、素材識別子が「Ｔ００２」の内トレイが１つ足りない場合、内トレイ素材情報テーブル８２２０（図５）の品番８２２１として「Ｔ００２」が設定されているレコードには、納期日数８２２６として「５」が設定されているので、今日が「２０１５年８月５日」である場合は、今日発注したら５日後に到着するので、２０１５年８月１０日に到着することになる。従って、到着予定日算出部１７００は、素材リスト１５１０の品番１５１１として「Ｔ００２」が設定されているレコードの到着日１５１５として「２０１５年８月１０日」を設定する。不足する数が、素材提供者が受注できる最大数を超える場合には（ステップＳ９１：Ｎｏ）、必要な個数が揃うまで発注を繰り返す（ステップＳ９１：Ｙｅｓ）。例えば、不足数１５１４として設定されている数が、内トレイ素材情報テーブル８２２０の受注最大数８２２５として設定されている数よりも１つ多い場合には、２回発注することになるため、１０日後が到着日となる。このように、到着予定日算出部１７００は、不足する消費期限のない全素材を発注した場合の到着予定日を求め、これらの到着日の内で最も遅い到着日を、第１到着予定日と決定する。
【０１６１】
図１５のステップＳ８１の処理を終了した到着予定日算出部１７００は、算出した第到着予定日を、発送予定日算出部１８００に渡す。第１到着予定日を受け取った発送予定日算出部１８００は、品番１５１１として設定されている識別子が期限を有する素材、つまり、菓子素材であって、不足数１５１４が「０（ゼロ）」より大きい数が設定してある菓子素材について、これら不足する全素材を発注した場合の第２到着予定日の算出を、到着予定日算出部１７００に依頼する。依頼を受けた到着予定日算出部１７００は、図１６を用いて説明したのと同様に、第２到着予定日を算出し、算出した第２到着予定日を発送予定日算出部１８００に渡す（ステップＳ８２：Ｙｅｓ、ステップＳ８３）。
【０１６２】
第１、第２到着予定日を受け取った発送予定日算出部１８００は、遅い方の到着予定日を、発送予定日と決定する（ステップＳ８４）。発送予定日を決定した発送予定日算出部１８００は、次に、決定した発送予定日が、品番１５１１として設定されている菓子素材について発送期限１５１６として設定されている発送期限より前であるか否かを確認し、前である場合は（ステップＳ８５：Ｙｅｓ）、決定した発送予定日をそのまま発送予定日とする。一方、発送予定日が、いずれかの菓子素材の発送期限よりも後である場合には（ステップＳ８５：Ｎｏ）、発送予定日が発送期限よりの後である菓子素材が不足するものとして、ステップＳ８２からの処理を行い、発送予定日を算出する。つまり、発送予定日算出部１８００は、詰合せを構成する素材すべてが作成場所に提供される日であって、消費期間（使用期間）を有するすべての菓子それぞれの消費期限（消費期間が満了する日）から所定期間以上前である日（すべての菓子について消費期間が所定期間以上残っている日）を、発送予定日として算出する。
【０１６３】
発送予定日を決定した発送予定日算出部１８００は、決定した発送予定日を注文処理部１５００に渡す。
【０１６４】
これで、図１４のステップＳ７６の処理が終了する。
【０１６５】
発送予定日を受け取った注文処理部１５００は、詰合せ注文画面ＷＩＮの注文情報表示領域６０に表示する詳細データを算出する（ステップＳ７７）。例えば、注文処理部１５００は、素材リスト１５１０の各レコードについて、必要数１５１２として設定されている数と価格１５１７として設定されている価格とをかけた小計を算出し、全レコードの小計を合計して、詰合せの金額を算出する。また、注文処理部１５００は、品番１５１１として設定されている識別子が菓子素材のレコードについて、発送期限１５１６として設定されている日から、各菓子素材の消費期限を算出し、もっとも近い日を消費期限として求める。
【０１６６】
注文処理部１５００は、算出した発送予定日、合計金額等の詳細データを、詰合せ購入者端末装置３０００に送信する（ステップＳ７８）。
【０１６７】
詳細データを受信した詰合せ購入者端末装置３０００の注文処理部３３００は、受信した詳細データを基に、注文情報表示領域６０にデータを表示する（ステップＳ６３）。
【０１６８】
このように、詰合せ販売システム１００では、消費期限などの使用期限がある商品であっても、ユーザが所望の商品の詰合せを購入できる。
【０１６９】
尚、実施形態では、消費期限（使用期限）のある商品として菓子を例に説明したが、菓子だけに限らず、野菜や果物等の生鮮品、レトルトや缶詰等の加工食品であってもよく、食品に限らず期限のある物であればよい。
【０１７０】
また、実施形態では、詰合せ販売者が画面に表示された素材リスト１５１０を参照して、素材提供者に発注することとしているが、素材リスト１５１０の不足数１５１４が「０」でない素材について、自動的に発注することとしても良い。例えば、品番１５１１が「Ｔ００２」を発注する場合は、内トレイ素材情報テーブル８２２０の品番８２２１として「Ｔ００２」が設定されているレコードの、メンバーＩＤ８２２９として設定されているメンバー識別子「Ｕ０１１」を読み出す。そして、メンバー情報テーブル８１１０のメンバーＩＤ８１１１として「Ｕ００１」が設定されているレコードの、メールアドレス（不図示）として設定されている宛先に、発注のメールを送るなどである。
【０１７１】
本発明を表現するために、上述において図面を参照しながら実施形態を通して本発明を適切且つ十分に説明したが、当業者であれば上述の実施形態を変更及び／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【０１７２】
１００  詰合せ販売システム
１０００  管理サーバ装置
１１００  詰合せ販売システム制御部
１２００  ２１００  ３１００  通信部
１３００  メンバー登録処理部
１４００  素材登録処理部
１５００  注文処理部
１６００  詰合せモデル登録処理部
１７００  到着予定日算出部
１８００  発送予定日算出部
１９００  ２２００  ２３００  インターフェース部
８１００  メンバー情報記憶部
８２００  素材情報記憶部
８３００  詰合せモデル情報記憶部
８４００  在庫情報記憶部
【図１】
0006544714.tif 000002
【図２】
0006544714.tif 000003
【図３】
0006544714.tif 000004
【図４】
0006544714.tif 000005
【図５】
0006544714.tif 000006
【図６】
0006544714.tif 000007
【図７】
0006544714.tif 000008
【図８】
0006544714.tif 000009
【図９】
0006544714.tif 000010
【図１０】
0006544714.tif 000011
【図１１】
0006544714.tif 000012
【図１２】
0006544714.tif 000013
【図１３】
0006544714.tif 000014
【図１４】
0006544714.tif 000015
【図１５】
0006544714.tif 000016
【図１６】
0006544714.tif 000017
【図１７】
0006544714.tif 000018
【図１８】
0006544714.tif 000019
【図１９】
0006544714.tif 000020
【図２０】
0006544714.tif 000021